(57)【要約】【課題】電力設備を収納可能な電力設備収納用箱体を提供する。【解決手段】箱本体３の側面に切り欠き８、８・・を設けたため、複数の電力設備３２、３２・・に跨がって配水管３１を引き回す必要があるとしても、切り欠き８、８・・を利用して配水管３１を好適に引き回すことができ、電力設備３２の収納用として好適な箱体とすることができる。また、箱本体３の下端内面に溶接される下枠２における切り欠き８、８・・内に位置する箇所を連結バー１２、１２・・とし、他の箇所（枠本体）に対して着脱自在とした。したがって、箱本体３への板金作業時には連結バー１２、１２・・を取り付けることで、箱本体３の強度向上や運搬作業の簡易化を図ることができる一方、コンクリート基礎上への設置時には連結バー１２、１２・・を取り外すことで設置作業の容易化を図ることができ、使い勝手が非常に良い。【選択図】図４
2020060148.tif 000002
【特許請求の範囲】
【請求項１】
前面、後面、左右側面、及び天面を有して、下面が開口する箱本体と、当該箱本体の下端に溶接される下枠とを備え、前記下枠と一体化されるチャンネルベースを介してコンクリート基礎上に設置される電力設備収納用箱体であって、
前記箱本体の側面に、当該側面の下辺から上方へ切り込まれる切り欠きが設けられているとともに、前記下枠における前記切り欠き内となる箇所が、前記箱本体に溶接されている他の箇所に対して着脱自在であることを特徴とする電力設備収納用箱体。
【発明の詳細な説明】
【技術分野】
【０００１】
本発明は、たとえば水力発電設備等で使用する電力設備を収納するための箱体に関するものである。
【背景技術】
【０００２】
従来、発電所を設置するに際しては、たとえば特許文献１に記載されているような小型の電力設備を利用していたとしても、建築物として扱われるような比較的大型の構造物に電力設備を収納していた。
【先行技術文献】
【特許文献】
【０００３】
【特許文献１】特開２０１８−４０３０３号公報
【発明の概要】
【発明が解決しようとする課題】
【０００４】
近年、より安価に発電所を設置すべく、電力設備を収納可能な箱体、すなわち建築物と比べると小型の箱体の考案が望まれている。
【０００５】
そこで、本発明は、上記問題に鑑みなされたものであって、電力設備を収納可能な箱体を提供しようとするものである。
【課題を解決するための手段】
【０００６】
上記目的を達成するために、本発明は、前面、後面、左右側面、及び天面を有して、下面が開口する箱本体と、当該箱本体の下端に溶接される下枠とを備え、前記下枠と一体化されるチャンネルベースを介してコンクリート基礎上に設置される電力設備収納用箱体であって、前記箱本体の側面に、当該側面の下辺から上方へ切り込まれる切り欠きが設けられているとともに、前記下枠における前記切り欠き内となる箇所が、前記箱本体に溶接されている他の箇所に対して着脱自在であることを特徴とする。
【発明の効果】
【０００７】
本発明によれば、箱本体の側面に、当該側面の下辺から上方へ切り込まれる切り欠きが設けられている。したがって、たとえば複数の電力設備に跨がって配水管を引き回す必要があるとしても、切り欠きを利用して配水管を好適に引き回すことができ、電力設備の収納用として好適な箱体とすることができる。
また、下枠における切り欠き内となる箇所が、箱本体に溶接されている他の箇所に対して着脱自在であるため、たとえば箱本体への板金作業時には切り欠き内となる箇所を取り付けることで、箱本体の強度向上や運搬作業の簡易化を図ることができる一方、コンクリート基礎上への設置時には切り欠き内となる箇所を取り外すことで設置作業の容易化を図ることができ、使い勝手が非常に良い。
【図面の簡単な説明】
【０００８】
【図１】電力設備収納用箱体の設置態様を示した説明図である。
【図２】電力設備収納用箱体への電力設備及び配水管の収納態様を示した説明図である。
【図３】チャンネルベースに固定された電力設備収納用箱体を前方から示した説明図である。
【図４】チャンネルベースに固定された電力設備収納用箱体を左側方から示した説明図である。
【図５】チャンネルベースに固定された電力設備収納用箱体を右側方から示した説明図である。
【図６】チャンネルベースから取り外され、連結バーも取り外された状態にある電力設備収納用箱体を示した説明図である。
【図７】下枠を上方から示した説明図である。
【図８】分解状態にある下枠を上方から示した説明図である。
【図９】下枠における連結バーと第１のバーや第２のバーとの固定部を拡大して示した説明図である。
【発明を実施するための形態】
【０００９】
以下、本発明の一実施形態となる電力設備収納用箱体（以下、単に箱体と称す）について、図面にもとづき詳細に説明する。
【００１０】
図１は、箱体１、１・・の設置態様を示した説明図である。図２は、箱体１、１・・への電力設備３２及び配水管３１の収納態様を示した説明図である。図３は、チャンネルベース３０に固定された箱体１を前方から示した説明図である。図４は、チャンネルベース３０に固定された箱体１を左側方から示した説明図である。図５は、チャンネルベース３０に固定された箱体１を右側方から示した説明図である。図６は、チャンネルベース３０から取り外され、連結バー１２、１２・・も取り外された状態にある箱体１を示した説明図である。図７は、下枠２を上方から示した説明図である。図８は、分解状態にある下枠２を上方から示した説明図である。図９は、下枠２における連結バー１２と第１のバー１１や第２のバー１３との固定部を拡大して示した説明図である。
【００１１】
箱体１は、電力設備３２を収納する箱本体３と、箱本体３の下端に溶接される下枠２とを有するものであって、下枠２と一体化されるチャンネルベース３０を介してコンクリート基礎（図示せず）上に設置されるようになっている。また、箱体１は、図１及び図２に示すように、複数の電力設備３２、３２・・に跨がって引き回される配水管３１を含め、設備全体を覆うべく左右方向に複数個連設して使用される。
【００１２】
以下、図１及び図２における３つの箱体１、１・・のうち、中央の箱体１について詳述する。箱体１の箱本体３は、前面４、後面５、左右側面６Ａ、６Ｂ、及び天面７を有するものであって、下面は開放されている。前面４には、前面開口を開閉する一組の扉体が観音開き可能に設けられている。また、側面６Ａ、６Ｂの下部で、コンクリート基礎上への設置時に配水管３１と対応する箇所には、側面６Ａ、６Ｂの下辺から上方へ切り込まれてなり、下方へ開口する切り欠き８、８が設けられている。なお、９は、箱本体３を塗装したり、箱本体３に対して板金作業を施す際に箱本体３を吊すためのフックであり、天面７に複数個設けられている。
【００１３】
一方、下枠２は、枠本体と、枠本体に対して着脱可能な４つの連結バー１２、１２・・とを備えてなり、枠本体は、断面略Ｌ字状の鋼材から成形された第１のバー１１、１１及び第２のバー１３、１３から構成されている。第１のバー１１は、箱本体３の左右長さと略同じ長さを有しており、該第１のバー１１の両端には、本体に対して９０度の角度で突出する突出部１１ａ、１１ａが固着されている。また、各突出部１１ａの先端には、上方へ折り曲げられた舌片が設けられ、連結バー１２の一端をボルト固定するための固定部１１ｂとなっている。第２のバー１３は、箱本体３の左右側面における切り欠き８、８間の前後長さと略同じ長さを有しており、該第２のバー１３の両端には、上方へ折り曲げられた舌片で、連結バー１２の一端をボルト固定するための固定部１３ａ、１３ａが設けられている。一方、連結バー１２も断面略Ｌ字状の鋼材から成形されてなり、箱本体３の切り欠き８の前後長さと略同じ長さを有している。また、連結バー１２の両端にも、上方へ折り曲げられた舌片で、固定部１１ｂや固定部１３ａにボルト固定するための固定部１２ａ、１２ａが設けられている。
【００１４】
そして、１つの第１のバー１１の両突出部１１ａ、１１ａに連結バー１２、１２の一端を夫々固定し、該連結バー１２、１２の他端に第２のバー１３、１３の一端を夫々固定するとともに、さらに第２のバー１３、１３の他端に連結バー１２、１２の一端を夫々固定した上で、連結バー１２、１２の他端にもう１つの第１のバー１１の両突出部１１ａ、１１ａを夫々固定すれば、上面視矩形の下枠２が形成される。すなわち、第１のバー１１で下枠２の前辺及び後辺が構成され、第１のバー１１の突出部１１ａ、第２のバー１３、及び２つの連結バー１２、１２で左右側辺が構成される。
【００１５】
上記下枠２は、左右長さが箱本体３の左右長さと、前後長さが箱本体３の前後長さと略同じとなり、該下枠２を箱本体３に対応させると、連結バー１２、１２・・が切り欠き８、８・・内に位置するようになっている。そこで、下枠２を箱本体３の下端内面に溶接して箱体１を構成するにあたっては、第１のバー１１、１１及び第２のバー１３、１３のみ、すなわち枠本体のみを溶接し、連結バー１２、１２・・に関しては溶接されている枠本体へ着脱自在とする。
【００１６】
上述したように組み立てられる箱体１に対し、箱本体３への板金作業を施す際には、連結バー１２、１２・・が取り外されていると箱体１の強度が足りず、箱本体３を組み立てることすらできない。また、ローラーコンベアを用いて箱本体３を運搬しようとすると、ローラーコンベア上で箱本体３の姿勢が安定しないという問題も発生する。そこで、運搬時及び板金作業時には、枠本体に連結バー１２、１２・・を固定する。一方、発電設備の設置にあたっては、予め電力設備３２や配水管３１を設置しておき、それらを上方から覆うように箱体１をコンクリート基礎上に設置して、電力設備３２を箱本体３内に、配水管３１を切り欠き８、８・・内に夫々位置させることになる。その際、連結バー１２、１２・・が取り付けられていると、配水管３１と連結バー１２、１２・・とが干渉して箱体１を設置することができない。そこで、箱体１の設置時には、枠本体から連結バー１２、１２・・を取り外しておけばよい。なお、箱体１の設置後は、必要に応じて連結バー１２、１２・・を取り付けてもよい。
【００１７】
なお、図１及び図２における左側の箱体１では、箱本体３の右側面にのみ切り欠き８、８を設ければよい。そこで、下枠２に関しても、右辺部のみ連結バー１２、１２を採用した着脱可能な構造とすればよい。同様に右側の箱体１では、箱本体３の左側面にのみ切り欠き８、８を設ければよく、下枠２の左辺部のみ連結バー１２、１２を採用した着脱可能な構造とすればよい。
【００１８】
以上のような構成を有する箱体１によれば、箱本体３の側面に切り欠き８、８・・が設けられているため、複数の電力設備３２、３２・・に跨がって配水管３１を引き回す必要があるとしても、切り欠き８、８・・を利用して配水管３１を好適に引き回すことができ、電力設備３２の収納用として好適な箱体とすることができる。
【００１９】
また、箱本体３の下端内面に溶接される下枠２における切り欠き８、８・・内に位置する箇所を連結バー１２、１２・・とし、他の箇所（枠本体）に対して着脱自在としている。したがって、箱本体３への板金作業時には連結バー１２、１２・・を取り付けることで、箱本体３の強度向上や運搬作業の簡易化を図ることができる一方、コンクリート基礎上への設置時には連結バー１２、１２・・を取り外すことで設置作業の容易化を図ることができ、使い勝手が非常に良い。
【００２０】
なお、本発明の箱体に係る構成は、上記実施形態の態様に何ら限定されるものではなく、箱本体や下枠等に係る構成について、本発明の趣旨を逸脱しない範囲で、必要に応じて適宜変更することができる。
【００２１】
たとえば、実施形態でも記載しているが、発電所等における箱体の使用形態に応じて、箱本体のどの側面にどれだけの数の切り欠きを設けるかは適宜設計変更可能である。
また、切り欠きの位置・数に応じて下枠における着脱自在とする箇所の位置や数も適宜変更可能である。なお、切り欠きの位置や数が違うものの、同じ下枠を使用することも可能である。すなわち、上記実施形態において、図１及び図２での左側の箱体１や右側の箱体１の下枠として、中央の箱体１で採用している下枠２を採用しても何ら問題はない。
さらに、本発明はあくまで電力設備収納用箱体であるが、浄化槽のブロア配管キュービクルとしたり、ポンプ室を構成する際に使用したりすることもできる。
【符号の説明】
【００２２】
１・・箱体、２・・下枠、３・・箱本体、８・・切り欠き、１１・・第１のバー、１２・・連結バー、１３・・第２のバー、３０・・チャンネルベース、３１・・配水管、３２・・電力設備。
【図１】
2020060148.tif 000003
【図２】
2020060148.tif 000004
【図３】
2020060148.tif 000005
【図４】
2020060148.tif 000006
【図５】
2020060148.tif 000007
【図６】
2020060148.tif 000008
【図７】
2020060148.tif 000009
【図８】
2020060148.tif 000010
【図９】
2020060148.tif 000011